(57)【特許請求の範囲】
【請求項１】
ギター演奏時に使用する使用ギターコードを楽曲に対応付けて記憶するデータベースを備え、
指定ギターコードを指定する指定処理と、
前記指定ギターコードと前記データベースに基づいて、前記使用ギターコードを移調した移調使用ギターコードが前記指定ギターコードに含まれる楽曲を検索する検索処理と、を実行することを特徴とする
楽曲検索装置。
【請求項２】
前記検索処理は、前記使用ギターコードが前記指定ギターコードに含まれる楽曲を検索することを特徴とする
請求項１に記載の楽曲検索装置。
【請求項３】
前記検索処理で検索された楽曲の前記使用ギターコードのうち、前記指定ギターコードが有していないギターコードの数を表示する表示処理を、実行することを特徴とする
請求項１または請求項２に記載の楽曲検索装置。
【請求項４】
前記検索処理で検索された楽曲の前記使用ギターコードのうち、前記指定ギターコードが有していないギターコードのタブ譜を表示する表示処理を、実行することを特徴とする
請求項１から請求項３の何れか１項に記載の楽曲検索装置。
【請求項５】
前記指定処理は、ユーザー情報に含まれるギターコード指定情報に基づいて前記指定ギターコードを指定することを特徴とする
請求項１から請求項４の何れか１項に記載の楽曲検索装置。
【請求項６】
ギター演奏時に使用する使用ギターコードを楽曲に対応付けて記憶するデータベースを備え、
指定ギターコードを指定する指定処理と、
前記指定ギターコードと前記データベースに基づいて、前記使用ギターコードを移調した移調使用ギターコードが前記指定ギターコードに含まれる楽曲を検索する検索処理と、
楽曲に対応する楽曲情報を楽曲演奏手段に演奏させる演奏処理と、を実行することを特徴とする
楽曲演奏装置。
【請求項７】
指定ギターコードを指定する指定処理と、
ギター演奏時に使用する使用ギターコードを楽曲に対応付けて記憶するデータベースにおいて、前記指定ギターコードと前記使用ギターコードに基づいて、前記使用ギターコードを移調した移調使用ギターコードが前記指定ギターコードに含まれる楽曲を検索する検索処理と、をコンピュータに実行可能とさせることを特徴とする
楽曲検索プログラム。
【発明の詳細な説明】
【技術分野】
【０００１】
本発明は、カラオケ装置などにおいて所望の条件に適合する楽曲を検索する楽曲検索装置および楽曲検索プログラム、ならびに、これらを利用して検索された楽曲を演奏する楽曲演奏装置に関するものである。
【背景技術】
【０００２】
従来、カラオケボックスやスナックなどのナイト店に設置されているカラオケ装置では、楽曲の演奏に合わせて歌唱を楽しむことが行われている。特許文献１、２には、歌唱のみならず楽器演奏を楽しむことのできるカラオケ装置が提案されている。
【０００３】
特許文献１では、歌詞の近くにコード名を表示することで、歌い手と楽器演奏者が一体感をもって同じ演奏曲を楽しむことのできるカラオケ装置が開示されている。また、特許文献２では、カラオケ演奏されるパートの内、ミュート（消音）できるパートを表示し、利用者から指示されたパートをミュートし、当該パートのマイナスワン演奏を楽しむことのできるカラオケ装置が開示されている。
【先行技術文献】
【特許文献】
【０００４】
【特許文献１】特許第３５５１４４１号公報
【特許文献２】特開２００１−１００７７１号公報
【発明の概要】
【発明が解決しようとする課題】
【０００５】
特許文献１、２に開示される、楽器演奏を行うことのできるカラオケ装置では、画面にコード名を表示させて、演奏者に対してどのコードを演奏するべきかを指示し、楽譜を用いずとも演奏を楽しむことが可能となっている。
【０００６】
楽器の中でもギターは、演奏する際に習得しなくてはならないギターコードが楽曲毎に異なり、ギターを練習し始めたばかりの演奏者などは、予め演奏したい楽曲を練習しておく、あるいは、自分が弾ける（知っている）ギターコードで演奏できる楽曲を調べておく必要がある。
【０００７】
現在、カラオケ装置では、数万曲の中から歌唱する楽曲を選択することが可能となっている。従来、楽曲名あるいは歌手名などを検索項目として備えた冊子（歌本）にて歌唱したい楽曲を検索していたが、このような膨大の数の楽曲を扱うため、現在では楽曲のデータベースに基づいて検索可能なリモコン装置、いわゆる電子早見本が主流となっている。しかしながら、この電子早見本でも、楽器演奏を補助することは考慮されておらず、前述したような利用者が自分の演奏できる楽曲を検索し、その楽曲を楽しめるようにすることはできない。
【課題を解決するための手段】
【０００８】
前記課題を解決するため、本発明に係る楽曲検索装置は、ギター演奏時に使用する使用ギターコードを楽曲に対応付けて記憶するデータベースを備え、指定ギターコードを指定する指定処理と、前記指定ギターコードと前記データベースに基づいて、前記使用ギターコードを移調した移調使用ギターコードが前記指定ギターコードに含まれる楽曲を検索する検索処理と、を実行することを特徴としている。
【０００９】
さらに、本発明に係る楽曲検索装置において、前記検索処理は、前記使用ギターコード
が前記指定ギターコードに含まれる楽曲を検索することを特徴としている。
【００１１】
さらに、本発明に係る楽曲検索装置は、前記検索処理で検索された楽曲の前記使用ギターコードのうち、前記指定ギターコードが有していないギターコードの数を表示する表示処理を、実行することを特徴としている。
【００１２】
さらに、本発明に係る楽曲検索装置は、前記検索処理で検索された楽曲の前記使用ギターコードのうち、前記指定ギターコードが有していないギターコードのタブ譜を表示する表示処理を、実行することを特徴としている。
【００１３】
さらに、本発明に係る楽曲検索装置において、前記指定処理は、ユーザー情報に含まれるギターコード指定情報に基づいて前記指定ギターコードを指定することを特徴としている。
【００１４】
また、本発明に係る楽曲演奏装置は、ギター演奏時に使用する使用ギターコードを楽曲に対応付けて記憶するデータベースを備え、指定ギターコードを指定する指定処理と、前記指定ギターコードと前記データベースに基づいて、前記使用ギターコードを移調した移調使用ギターコードが前記指定ギターコードに含まれる楽曲を検索する検索処理と、楽曲に対応する楽曲情報を楽曲演奏手段に演奏させる演奏処理と、を実行することを特徴としている。
【００１５】
また、本発明に係る楽曲検索プログラムは、指定ギターコードを指定する指定処理と、
ギター演奏時に使用する使用ギターコードを楽曲に対応付けて記憶するデータベースにおいて、前記指定ギターコードと前記使用ギターコードに基づいて、前記使用ギターコードを移調した移調使用ギターコードが前記指定ギターコードに含まれる楽曲を検索する検索処理と、をコンピュータに実行可能とさせることを特徴としている。
【発明の効果】
【００１６】
本発明によれば、自分の弾けるギターコードを指定ギターコードとして指定し、ギター演奏時に使用される使用ギターコードを含むデータベースを検索することで、指定ギターコードのみで演奏できる楽曲、移調もしくはギターにカポを装着することで演奏できる楽曲、あるいは、演奏するために覚えなくてはならないギターコードをユーザーに提示することが可能となる。このような楽曲検索装置を多数の楽曲を取り扱う楽曲演奏装置に適用することで、ギター演奏を行うユーザーに対し、新しい観点での楽曲検索を提供することができる。
【００１７】
さらに、本発明によれば、使用ギターコードが指定ギターコードに含まれている楽曲を検索することで、ユーザーは知っているギターコード、もしくは、弾けるギターコードのみで演奏できる楽曲を容易に知ることが可能となる。
【００１８】
さらに、本発明によれば、使用ギターコードを移調した移調使用ギターコードが指定ギターコードに含まれる楽曲を検索することで、楽曲を移調、もしくは、ギターにカポを装着することで演奏可能となる楽曲を容易に知ることが可能となる。
【００１９】
さらに、本発明によれば、検索された楽曲の使用ギターコードのうち、指定ギターコードが有していないギターコードの数を表示させることで、検索された楽曲が自分にとってどの程度の難易度、すなわち、当該楽曲を演奏するにあたりいくつのギターコードを習得する必要があるかを知ることが可能となる。
【００２０】
さらに、本発明によれば、検索された楽曲の使用ギターコードのうち、指定ギターコードが有していないギターコードのタブ譜を検索時、あるいは、当該楽曲の演奏時に表示させることで、検索された楽曲を演奏する際、必要とされるギターコードの押さえ方（運指）を知ることが可能となる。
【００２１】
さらに、本発明によれば、ユーザー情報に予めギターコード指定情報を含ませておくことで、ユーザーは、検索の毎に指定ギターコードを指定することなく、指定ギターコードを利用した楽曲検索を行うことが可能となる。
【００２２】
また、本発明は、楽曲演奏を行う楽曲演奏装置、あるいは、カラオケ装置やリモコン装置などの各種コンピュータにて実行可能な楽曲検索プログラムに適用することも可能である。特に、楽曲検索プログラムとして提供する場合には、各種コンピュータにおいて楽曲検索機能を追加することが可能となる。
【図面の簡単な説明】
【００２３】
【図１】本発明の実施形態に係るカラオケシステムを示す図。
【図２】本発明の実施形態に係るトップ画面を示す図。
【図３】本発明の実施形態に係る楽曲属性情報のデータ構成を示す図。
【図４】本発明の実施形態に係る楽曲検索処理を示すフロー図。
【図５】本発明の実施形態に係る指定ギターコード入力画面を示す図。
【図６】本発明の実施形態に係る検索結果表示画面を示す図。
【図７】本発明の実施形態に係る楽曲確認画面Ａを示す図。
【図８】本発明の実施形態に係る楽曲演奏時のモニタ画面を示す図。
【図９】本発明の実施形態に係る楽曲確認画面Ｂの様子を示す図。
【図１０】本発明の実施形態に係る移調時、カポ取付時のタブ譜を示す図。
【図１１】本発明の実施形態に係る楽曲演奏時のモニタ画面を示す図。
【図１２】本発明の実施形態に係る楽曲演奏時のモニタ画面を示す図。
【図１３】本発明の実施形態に係る楽曲確認画面Ｃの様子を示す図。
【図１４】本発明の実施形態に係る楽曲演奏時のモニタ画面を示す図。
【発明を実施するための形態】
【００２４】
図１は、本発明の実施形態に係るカラオケシステムの構成を示す図である。本実施形態におけるカラオケシステムは、コマンダ２（カラオケ装置）と、リモコン装置１にて構成されており、これらは、ＬＡＮ１００にて、無線、有線で互いに接続されている。
【００２５】
コマンダ２は、全体を統括制御する制御部３０を中心として機能し、主な機能として、演奏処理、映像再生処理、選曲処理などを実行可能としている。演奏処理は、入力部２１やリモコン装置１にてユーザーにより、指定された楽曲に対応する楽曲情報をＭＩＤＩ音源２６などの音源部にて演奏させ、スピーカー４２から放音させる処理である。このとき、スピーカー４２からはマイクロホン４４から入力される音声や外部ギター４４ｃから入力される演奏音も合わせて放音される。映像再生処理は、映像再生部２９にて背景映像や歌詞情報などを再生させ、モニタ４１を介して視覚情報をユーザーに提供する処理である。
【００２６】
選曲処理は、ユーザーからの指定に基づいて楽曲を検索するための処理である。本実施形態では、リモコン装置１と連携して実行している。リモコン装置１の操作部１７から入力されたユーザーの指令は、赤外線通信部１９、２３、あるいは、ＬＡＮ１００を介してコマンダ２に伝達される。コマンダ２での処理結果は、リモコン装置１側の表示部１１に表示され、ユーザーは選曲のための各種情報を視認することが可能である。コマンダ２と
リモコン装置１は、この選曲処理に限らず、ユーザーから各種入力を受付けて、ログイン処理など各種処理を実行することが可能である。
【００２７】
本実施形態に係る楽曲検索装置は、このコマンダ２とリモコン装置１との組み合わせで実現しているが、この形態に限らず、リモコン装置１のみ、あるいは、コマンダ２のみにて楽曲検索装置を実現することとしてもよい。本発明における制御手段は、リモコン装置１、コマンダ２であることを問わず、本発明における処理を実行するのに必要となる構成をいうものである。また、リモコン装置１、コマンダ２に対しインストール可能なプログラムとして提供することとしてもよい。
【００２８】
図２は、本発明の実施形態に係るトップメニューを示す図である。本実施形態では、リモコン装置１の表示部１１に表示させ、リモコン装置１を操作するユーザーに対して各種情報を提供する。なお、リモコン装置１の操作部１７としては、カーソルキーなどの各種スイッチの他、表示部１１に表示されたアイコンを直接タッチして操作を行うタッチパネル等を採用することができる。
【００２９】
トップメニューには、楽曲選択のための各種方法を指定可能の他、ユーザーのログインに関する情報が表示されている。本実施形態では、楽曲選択として、歌手名、曲名を指定した検索を行うことができると共に、本発明の特徴となるギターコードにて楽曲を検索することが可能となっている。
【００３０】
ユーザーのログインに関する情報は、画面上方に常時表示されたものとなっており、ログイン中のユーザーを示すアバターが表示される。図ではＡさん、Ｅさん、Ｃさん、３人のアバターが表示されているが、更なる人数をログインさせることが可能であり、アバター右側に示される三角形のスイッチを操作することで、アバターをシフト表示させ、更なるメンバーの表示を行うことができる。表示されている３人のアバター中、背景が褐色であるものは、当該アバターに対応するユーザーが操作ユーザーであることを示している。本実施形態では、操作ユーザーのユーザー名、並びに、ユーザーに対して操作を促す各種メッセージも表示されている。
【００３１】
操作ユーザーに対しては、予め記憶されているユーザー情報に基づいて各種サービスを行うことが可能となっており、操作ユーザーの個人情報や操作履歴などを参照することで、それに基づくサービスを提供することが可能である。特に、本発明ではこのユーザー情報中に指定ギターコードを記憶したギターコード指定情報を含ませておくことで、ユーザーは選曲時に指定ギターコードを指定することなく、楽曲検索を行うことも可能となる。
【００３２】
操作ユーザーは、画面上方左側に表示されているユーザー切替を操作することで切り換えることができる。また、画面上方右側には、新たにユーザーをログインさせる新規ログイン、操作ユーザーをログアウトさせるログアウトが表示されており、これらを操作することで、ユーザーの追加、ログアウトを行うことができる。
【００３３】
図３は、本発明の実施形態に係る楽曲属性情報のデータ構成を示す図である。このような楽曲属性情報の集合でデータベースが構成されている。楽曲属性情報には、楽曲ＩＤ、楽曲タイトル、歌手名、歌い出し、楽曲ジャンルといった、従来の楽曲検索に用いられる各種情報の他、使用ギターコードが含まれている。楽曲ＩＤは、ＭＩＤＩ情報などで構成された楽曲情報と対応付けられており、楽曲ＩＤに対応する楽曲情報を読み出して、ＭＩＤＩ音源に演奏させることで楽曲の演奏を実行することが可能となっている。
【００３４】
使用ギターコードは、楽曲情報の演奏に併せてギター演奏を行う際、必要とされるギターコードを示す情報が含まれている。楽曲情報中には、演奏に同期して歌うべき歌詞を表
示させる歌詞情報の他、演奏すべきギターコードを表示させるためのギターコード情報が含まれている。通常、このギターコード情報にて表示させるギターコードが使用ギターコードに指定される。
【００３５】
図４は、本発明の実施形態に係る楽曲検索処理を示すフロー図である。図２に示されるトップ画面において「ギターコードで探す」を指定することでこの楽曲検索処理が開始される。本実施形態では、楽曲検索を行う度、リモコン装置１の操作部１７などを介して入力することとしているが、ユーザーが予め設定したユーザー情報中のギターコード指定情報を用いて自動で指定することとしてもよい。
【００３６】
図５には、本発明の実施形態に係る指定ギターコード入力画面の一例が示されている。ユーザーは、この画面上において演奏可能なギターコードの指定を行う。図中、丸印が付されている箇所が指定ギターコードとして指定されたものであって、この場合、「Ｃ、Ｄ、Ｅ、Ｇ、Ａ、Ｃ７、Ｄ７、Ｇ、Ａ」が指定ギターコードとして指定されていることを示している。なお、ギターコードには６ｔｈなど図示した以外のものもあるが、図示された以外を指定可能としてもよいし、利用頻度の高いものに限定して指定可能とするものであってもよい。
【００３７】
入力を終えたユーザーが「決定」ボタンを操作することで、指定したギターコードに基づく検索処理が実行され検索結果が表示される。この検索処理では、指定ギターコードのみならず、他の検索項目、例えば、楽曲タイトル、歌手名、楽曲ジャンル、歌い出しを併せて指定することで、検索対象を絞り込むことも可能である。図６は、本発明の実施形態に係る検索結果表示画面の一例を示したものであって、この例では歌手名を「あいうえお」に限定した場合が示されている。
【００３８】
この検索結果表示画面には、検索結果の一覧（一部）が表示され、楽曲毎に、曲名、歌手名の他、アイコンで示されるコード状態、未知コード数などの表示項目が表示されている。ユーザーは、この中から所望の楽曲にタッチ、あるいは、カーソルを合わせるなどして選択することが可能となっている。
【００３９】
表示項目中、コード状態は、当該楽曲の使用ギターコードと指定ギターコードとの関係を３種類のアイコンで表したものである。第１のアイコンは当該楽曲の使用ギターコードが指定ギターコードに含まれていること、すなわち、ユーザーは自分の弾けるギターコードにて演奏可能であることを示している。第２のアイコンは、当該楽曲の使用ギターコードを移調した移調使用ギターコードが指定ギターコードに含まれていること、すなわち、当該楽曲を移調させる、あるいは、ギターにカポ（カポタスト）を装着することで、ユーザーが演奏可能となることを示している。第３のアイコンは、第１のアイコン、第２のアイコンの場合の何れでもない場合であって、ユーザーが演奏できない、あるいは、知らないギターコードが当該楽曲に含まれていることを示している。
【００４０】
表示項目中、未知コード数は、当該楽曲の使用ギターコード中のギターコードであって、指定ギターコードに存在しないギターコードの数を示した数値である。例えば、第１のアイコンが表示される楽曲では、未知コード数は０（ゼロ）となる。ユーザーは、これらコード状態、未知コード数を参考にして演奏したい楽曲を選択することができる。
【００４１】
この検索結果表示画面にて楽曲が選択される（Ｓ１０４）と、選択された楽曲の種別（ここでは「コード状態」の項目別）に応じた楽曲確認画面が表示され、ユーザーは楽曲の詳細を確認すると共に、演奏に際しての各種指定を行うことができる。Ｓ１０５にて弾けるギターコードのみと判定、すなわち、第１のアイコンが表示された楽曲の場合には、図７に示される楽曲確認画面が表示される。本実施形態では、検索結果表示画面と同じ項目
が表示されているが、歌い出しなど他の項目を表示してもよい。ユーザーは「予約」ボタンを操作することで楽曲を決定する。決定された楽曲は、コマンダ２にて管理する予約リストに掲載され、予約した順で演奏が実行される。
【００４２】
図８には、本発明の実施形態に係る楽曲演奏時におけるモニタ画面が示されている。画面には、演奏に同期して表示される歌詞映像の上部にはギターコード映像が表示される。歌詞映像、ギターコード映像は、それぞれ楽曲情報に含まれる歌詞情報、コード情報に基づいて表示される。ユーザーは、ギターコード映像にて、演奏すべきギターコードを確認することが可能となる。
【００４３】
一方、Ｓ１０７にてキー変更して演奏可能な楽曲、すなわち、第２のアイコンが表示された楽曲と判定された場合には、図９に示される楽曲確認画面Ｂが表示される。なお、キー変更の候補が複数存在した場合には、最もキー変更数の少ないものが選択される。この画面では、楽曲に関する各種情報が表示される他、ユーザーは、演奏に際しキー（音程）を変更して演奏を実行させるか、ユーザー自身でギターにカポタストを装着して演奏するかを選択することが可能となっている。図では「キーを３下げる」「３フレットにカポ」の２つのボタンが表示され、ユーザーはこのボタンを選択することで、キーを変更するか、ギターにカポタストを装着して演奏するかを選ぶことができる。
【００４４】
図１０は、本発明の実施形態に係る移調時、カポタスト装着時のタブ譜を説明する図である。図１０（ａ）は、楽曲中にて使用されるギターコード、すなわち、使用ギターコードの一例を示した図である。例えば、ユーザーがＦのようにバレーコードを演奏することができず、指定ギターコードとしてＣ、Ｄ、Ｅ、Ｇ、Ａのようなローコードのみを指定している場合を考えてみる。この場合、図１０（ｂ）に示されるようにキーを−３下げることで、当該楽曲は指定ギターコードにて演奏可能となる。あるいは、３フレットにカポタストを装着することで、ギターコードはＦ、Ｇ、Ｃのまま、Ｄ、Ｅ、Ａのローコードの押さえ方（運指）で演奏可能となる。
【００４５】
図９では、図１０（ｂ）のように楽曲のキー（音程）を変更して演奏させることで、指定ギターコードにて演奏可能とさせるか、もしくは、図１０（ｃ）のようにカポタストをギターに装着させ、指定ギターコードの運指で演奏可能とさせることとしている。なお、これらどちらかを選択せずに、楽曲を予約することも可能（Ｓ１１０にてＮｏを選択）であって、その場合、後で説明する確認画面Ｃと同様に、ユーザーが覚えていない、あるいは、習得していない未知ギターコードが表示される。
【００４６】
図９にて「キーを３下げる」を選択して、楽曲が予約された場合、当該楽曲に対応する楽曲情報は、音程を３下げて演奏される。図１１には、この場合の楽曲演奏時のモニタ画面が示されている。図８のモニタ画面と同様、背景映像上には、歌詞映像とギターコード映像が表示されている。楽曲情報が音程を３だけ下げて演奏されることに合わせて、ギターコード映像も音程を３だけ下げて表示される。
【００４７】
一方、図９にて「３フレットにカポ」を選択して、楽曲が予約された場合、当該楽曲に対応する楽曲情報は、本来の音程、すなわち、音程変更のないまま演奏される。図１２には、この場合の楽曲演奏時におけるモニタ画面が示されている。背景映像上に歌詞映像とギターコード映像が表示されることとなるが、ギターコード映像は、実際に演奏するギターコード名ではなく、ローコードにおける運指でのギターコード名が表示される。表示されているギターコード名「Ｄ、Ｅ、Ａ」は、３フレットにカポタストを装着した演奏では「Ｆ、Ｇ、Ｃ」となる。
【００４８】
このように、Ｓ１０７にてキー変更して演奏可能と判定された場合には、キー変更して
楽曲情報を演奏させるか、あるいは、指定されたフレットにカポタストを装着して演奏させることで、ユーザーは指定ギターコードの運指で演奏可能となる。
【００４９】
Ｓ１０７にてキー変更して演奏可能と判定されなかった楽曲、すなわち、第３のアイコンが表示された楽曲の場合には、図１３に示される楽曲確認画面Ｃが表示される。この場合、楽曲に関する情報の他、当該楽曲における使用ギターコードの内、指定ギターコードに含まれていないギターコードのタブ譜が表示され、ユーザーは、当該楽曲を演奏するに際し、覚える必要のあるギターコード、並びに、その運指を事前に知ることが可能となる。また、ユーザーはタブ譜を確認することで、当該楽曲を演奏するか否かを判断することも可能となる。図では、Ｃ７、Ａｓｕｓ４の２つのタブ譜が表示されている。
【００５０】
図１４には、この場合の楽曲演奏時のモニタ画面が示されている。図８のモニタ画面と同様、背景映像上には、歌詞映像とギターコード映像が表示されている。楽曲情報は、音程変更せずにＭＩＤＩ音源２６などにて演奏される。また、図に示されるように、歌詞映像には、ギターコード名に加えて当該ギターコードのタブ譜を表示することが好ましい。特に、指定ギターコードに含まれていないギターコードについてタブ譜を表示することで、ユーザーは覚えていないギターコードを確認しつつ演奏を行うことが可能となる。
【００５１】
以上、本発明では、予めユーザーが知っている、あるいは、弾くことのできるギターコードを指定ギターコードとして指定しておき、ギター演奏時に使用する使用ギターコードを楽曲に対応付けて記憶したデータベースを検索することで、ユーザーは演奏可能である楽曲などを容易に知ることが可能となる。特に、カラオケ装置のように膨大な数の楽曲を収録した楽曲演奏装置では、膨大な数の楽曲から演奏可能な楽曲を選択することが可能となる。ここでは、楽曲検索装置をカラオケ装置に適用した場合の実施形態を説明したが、カラオケ装置に限らず、電子楽器など他の楽曲演奏装置に適用することも可能である。さらに、電子化したギターの教則本、あるいは、インターネットにおける楽曲検索など各種楽曲の検索に利用することも可能である。
【００５２】
なお、本発明はこれらの実施形態のみに限られるものではなく、それぞれの実施形態の構成を適宜組み合わせて構成した実施形態も本発明の範疇となるものである。
【符号の説明】
【００５３】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…コマンダ（カラオケ装置）、２１…操作部、２２…操作処理部、２３…赤外線通信部、２４…インターフェイス部、２５…音声制御部、２６…ＭＩＤＩ音源、２７…メモリ、２８…ビデオＲＡＭ、２９…映像再生部、３０…制御部、３１…映像制御部、３２…ハードディスク、４１…モニタ、４２…スピーカー、４４ａ、４４ｂ…歌唱用マイク、４４ｃ…外部ギター、１００…ＬＡＮ、１１０…アクセスポイント、１２０…ルータ
【図１】
0005403282.tif 000002
【図２】
0005403282.tif 000003
【図３】
0005403282.tif 000004
【図４】
0005403282.tif 000005
【図５】
0005403282.tif 000006
【図７】
0005403282.tif 000007
【図６】
0005403282.tif 000008
【図８】
0005403282.tif 000009
【図９】
0005403282.tif 000010
【図１０】
0005403282.tif 000011
【図１１】
0005403282.tif 000012
【図１２】
0005403282.tif 000013
【図１３】
0005403282.tif 000014
【図１４】
0005403282.tif 000015